(57)【要約】      （修正有）【課題】高齢者等にとって簡単に商品等を依頼できるようにする依頼システム及び依頼方法を提供する。【解決手段】商品等の依頼を行う依頼システム１０であって、顧客側にあって、商品等のＩＤ情報を送信可能なボタン１と、ボタン１からのＩＤ情報を受信し、受信したＩＤ情報に基づいて依頼内容を特定して顧客毎に記憶するとともに、依頼先を選択して依頼内容を送信するサーバ２と、依頼先側にあって、サーバからの依頼内容を受信するとともに、依頼内容に対する完了情報をサーバに送信する依頼先側の情報端末３と、を備える。依頼内容は、キャンセル又は訪問依頼を含むことを特徴とする。【選択図】図１
2018041236.tif 000002
【特許請求の範囲】
【請求項１】
商品等の依頼を行う依頼システムであって、
顧客側にあって、商品等のＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記依頼内容は、キャンセル又は訪問依頼を含むことを特徴とする依頼システム。
【請求項２】
前記サーバは、前記依頼内容又は前記完了情報を予め登録された前記顧客の親族等の情報端末に送信することを特徴とする請求項１に記載の依頼システム。
【請求項３】
前記訪問依頼に対する完了情報には、前記顧客の健康状態に関する情報が含まれることを特徴とする請求項１又は２に記載の依頼システム。
【請求項４】
商品等の依頼を行う依頼方法であって、
顧客がボタンを操作して、商品等のＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記依頼内容は、キャンセル又は訪問依頼を含むことを特徴とする依頼方法。
【請求項５】
前記サーバは、前記依頼内容又は前記完了情報を予め登録された前記顧客の親族等の前記情報端末に送信する工程を備えることを特徴とする請求項４に記載の依頼方法。
【請求項６】
前記訪問依頼に対する完了情報には、前記顧客の健康状態に関する情報が含まれることを特徴とする請求項４又は５に記載の依頼方法。
【発明の詳細な説明】
【技術分野】
【０００１】
本発明は、高齢者等が簡単に商品等を依頼できる依頼システム及び依頼方法に関するものである。
【背景技術】
【０００２】
日本の高齢者率は年々上昇しており、また、高齢者の一人住まい世帯や介護を必要とする高齢者も増加している。このような高齢者にとっては買い物をするにも一苦労で、毎日の食事を宅配に頼ることが多くなってきている。一方では、インターネット技術は進歩し、家に居ながらにしてスマホやパソコンから商品を注文すれば宅配されるようになっている。しかしながら高齢者等の多くは、インターネット技術の恩恵を受けていない。
【０００３】
特許文献１には、スマホやパソコン等の機械に不慣れな高齢者でも端末のボタン操作を通じて簡単に注文情報を発信することができるシステムについて記載されている。
【先行技術文献】
【特許文献】
【０００４】
特許文献１：特開２００６−３５０４６８号公報
【発明の概要】
【発明が解決しようとする課題】
【０００５】
しかしながら、特許文献１に記載のものは、簡単にキャンセルできるものではない。高齢者にとっては特に、商品の注文よりもキャンセルすることに躊躇しがちで、定期的に宅配される商品の一時的なキャンセルが言い出せずに無駄になる商品まで配達されてしまうという問題があった。また、身の回り品を注文したいがどの商品を具体的に注文したらよいかを判断できない場合も多く、適切な注文ができないという問題があった。
【０００６】
本発明は、上記問題点を解決して、高齢者等にとって簡単に商品等を依頼できるようにすることを課題とする。
【課題を解決するための手段】
【０００７】
上記課題を解決するために本発明は、商品等の依頼を行う依頼システムであって、
顧客側にあって、商品等のＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記依頼内容は、キャンセル又は訪問依頼を含むことを特徴とする依頼システムを提供するものである。
【０００８】
この構成により、気軽にキャンセルができるとともに、顧客が欲しい商品を特定しない状態で身の回り品を注文することができ、高齢者等にとって簡単に商品等を依頼できるようにすることができる。
【０００９】
前記サーバは、前記依頼内容又は前記完了情報を予め登録された前記顧客の親族等の情報端末に送信する構成としてもよい。
【００１０】
この構成により、顧客の生活動向を親族等に知らせることができ、高齢者等の見守り効果が期待できる。
【００１１】
前記訪問依頼に対する完了情報には、前記顧客の健康状態に関する情報が含まれる構成としてもよい。
【００１２】
この構成により、顧客の健康状態を見守ることができる。
【００１３】
また、上記課題を解決するために本発明は、商品等の依頼を行う依頼方法であって、
顧客がボタンを操作して、商品等のＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記依頼内容は、キャンセル又は訪問依頼を含むことを特徴とする依頼方法を提供するものである。
【００１４】
この構成により、気軽にキャンセルができるとともに、顧客が欲しい商品を特定しない状態で身の回り品を注文することができ、高齢者等にとって簡単に商品等を依頼できるようにすることができる。
【００１５】
前記サーバは、前記依頼内容又は前記完了情報を予め登録された前記顧客の親族等の前記情報端末に送信する工程を備える構成としてもよい。
【００１６】
この構成により、顧客の生活動向を親族等に知らせることができ、高齢者等の見守り効果が期待できる。
【００１７】
前記訪問依頼に対する完了情報には、前記顧客の健康状態に関する情報が含まれる構成としてもよい。
【００１８】
この構成により、顧客の健康状態を見守ることができる。
【発明の効果】
【００１９】
本発明の依頼システム及び依頼方法により、高齢者等にとって簡単に商品等を依頼できるようにすることができる。
【図面の簡単な説明】
【００２０】
【図１】本発明の実施例１における依頼システムの構成を説明する図である。
【図２】本発明の実施例１におけるサーバの処理フローを説明する図である。
【図３】本発明の実施例３における依頼システムの構成を説明する図である。
【発明を実施するための形態】
【実施例１】
【００２１】
本発明の実施例１について、図１、図２を参照して説明する。図１は、本発明の実施例１における依頼システムの構成を説明する図である。図２は、本発明の実施例１におけるサーバの処理フローを説明する図である。
【００２２】
実施例１における依頼システム１０は、図１に示すように、高齢者等の顧客側には、商品等のＩＤ情報を送信可能なボタン１が設置されている。顧客がボタン１を操作するとＩＤ情報を発信しサーバ２が受信する。ＩＤ情報は、各顧客宅のどのボタン１なのかがわかるものである。サーバ２は、受信したＩＤ情報から依頼内容を特定する。つまり、予め登録されているＩＤ−顧客リストから顧客を特定するとともに、ＩＤ−商品等リストから商品等を特定する。そして、特定した依頼内容を顧客毎に記憶するとともに、商品等に対応した依頼先を複数の候補から選択して依頼内容を送信する。情報端末３は、依頼先側にあって、サーバ２からの依頼内容を受信するとともに、この依頼内容に対する完了情報をサーバ２に送信する。ここで、商品等とは商品又はサービスを指し、高齢者等とは、高齢者、障害者、又は忙しいか深夜等のため発注業務を実施することが困難な工場の管理者又は労働者を指す。
【００２３】
ボタン１は、例えば、断面３０〜４０ｍｍφ、高さ１０ｍｍ程度の円筒形状で、プラスチックからなるケース内に電子回路が組み込まれている。その端面には、円形のスイッチが設けられ、スイッチを押すと図示しないＩoＴゲートウエイに対してブルートゥース（登録商標）等の無線で通信を行う。また、スイッチの表面には、当該ボタン１が指定する商品の写真が貼られていて、高齢者にとってわかりやすく構成されている。つまり、ボタン１は、商品等毎に顧客宅の関係する場所に設置されているとともに、スイッチ表面の写真で間違うことなく必要な商品等を依頼することができる。
【００２４】
ボタン１は、押す回数によって発信する情報の種類を変えることができる。例えば、１回押すと当該商品の注文、２回押すと当該商品のキャンセル、３回押すと緊急通報等と任意に設定可能である。実施例１においては、ボタン１を１回押すと毎日宅配される食事のキャンセルができるように設定している。そして、ダイニングに置かれたスイッチの表面に貼られた食事風景の写真に「×」のマークが施されている。高齢者等の顧客は、この写真をみることにより、食事宅配のキャンセルができるボタンであることを容易に認識することができる。
【００２５】
なお、実施例１においては、ボタン１を上記のような構成としたが、必ずしもこれに限定されず、ボタン数が１個で、用途がわかりやすく簡単に操作できるものであればよい。
【００２６】
高齢者等の顧客は、この食事宅配キャンセルのボタン１を１回押すことにより、その日の食事宅配をキャンセルすることができる。従来は、電話で宅配業者にキャンセルを連絡する必要があった。しかし、注文に対してキャンセルの電話は敷居が高く、億劫となって無駄になることを承知でキャンセルしないことがあったが、このボタン１を押すだけでその日のキャンセルができるので、食事の無駄がなくなり、また、顧客の精神的なストレスも解消することができる。
【００２７】
ボタン１は、スイッチが押されれば、顧客宅の内部に設置された図示しないＩoＴゲートウエイに対してブルートゥース（登録商標）等の無線で通信を行い、実施例１においてはキャンセルに係る依頼内容を意味する商品等のＩＤ情報を発信する。このＩＤ情報には、商品等のＩＤ情報の他に顧客情報を含めるようにしてもよい。ＩoＴゲートウエイは、ひかりＢＯＸ（登録商標）やスマホ等で構成することができる。ＩｏＴゲートウエイは、ボタン１からのＩＤ情報を受信した場合、直ちにインターネットを介して、そのＩＤ情報をサーバ２に送信する。
【００２８】
サーバ２がインターネットを介してＩｏＴゲートウエイから送信されたＩＤ情報を受信すると、そのＩＤ情報から顧客、商品等、注文／キャンセルを予め記憶されている情報に基づいて分析してその依頼内容を特定し、必要な処理を実行する。図２を参照しながら処理の詳細を説明する。図２は、本発明の実施例１におけるサーバの処理フローを説明する図である。
【００２９】
まず、サーバ２がＩＤ情報を受信する（図２（ａ））。ＩＤ情報は、各顧客宅のどのボタン１なのかがわかるものである。サーバ２は、受信したＩＤ情報から依頼内容を特定する（図２（ｂ））。つまり、予め登録されているＩＤ−顧客リストから顧客を特定するとともに、ＩＤ−商品等リストから商品等を特定する。次に、依頼内容が注文なのかキャンセルなのかを特定する（図２（ｃ））。そして、依頼内容が注文であれば、顧客毎に当該商品等の注文情報を記憶し（図２（ｄ））、当該商品等に対応する予め登録されている依頼先から最適な依頼先を選択し、当該商品等の注文情報を送信する（図２（ｅ））。注文情報には、顧客情報、商品等情報が含まれている。また、依頼内容がキャンセルであると判断すれば、顧客毎に当該商品等のキャンセル情報を記憶し（図２（ｆ）、当該商品等の依頼先に対して、当該商品等のキャンセル情報を送信する（図２（ｇ））。
【００３０】
ここで、選択する依頼先とは、当該顧客の居住する地域にあり、当該顧客宅に訪問することが可能な依頼先とし、後述する高齢者等の見守りも実施できるところを依頼先として選択する。
【００３１】
なお、実施例１においては、依頼内容を特定した後、依頼先を選択するようにしたが、ＩＤ情報に対応する依頼先を予め選択し登録しておいてもよい。
【００３２】
実施例１においては、顧客が発信する依頼内容は、食事宅配のキャンセルであるので、図２（ｆ）、（ｇ）の工程を実行し、対応する依頼先にその日の食事宅配のキャンセルを伝達する。当該依頼先では、そのキャンセルに基づいて該当の顧客に対するその日の食事宅配を中止する措置をとる。
【００３３】
依頼先はスマホ等の情報端末３を所有しており、サーバ２から送信される情報は、この情報端末３で受信する。また、情報端末３はサーバ２に対して必要な情報を送信する。実施例１においては、受信したキャンセルの依頼内容に対して、配達キャンセルに係る完了情報をサーバ２に対して送信する。注文の依頼内容に対しては、配達後に配達に係る完了情報をサーバ２に対して送信する。
【００３４】
なお、実施例１においては、食事宅配に対するキャンセルだけを依頼内容としたが、必ずしもこれに限定されず、都合により適宜変更することができる。例えば、キャンセルに加えて別の食材の注文をするものであってもよい。
【００３５】
このように実施例１においては、商品等の依頼を行う依頼システムであって、顧客側にあって、商品等のＩＤ情報を送信可能なボタンと、前記ボタンからの前記ＩＤ情報を受信し、受信した前記ＩＤ情報に基づいて依頼内容を特定して顧客毎に記憶するとともに、依頼先を選択して前記依頼内容を送信するサーバと、前記依頼先側にあって、前記サーバからの前記依頼内容を受信するとともに、前記依頼内容に対する完了情報を前記サーバに送信する前記依頼先側の情報端末と、を備え、前記依頼内容は、キャンセル又は訪問依頼を含むことを特徴とする依頼システムにより、キャンセルが容易になり、高齢者等にとって簡単に商品等を依頼できるようにすることができる。
【００３６】
また、商品等の依頼を行う依頼方法であって、顧客がボタンを操作して、商品等のＩＤ情報をサーバに送信する工程と、前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、依頼先側における情報端末が、前記サーバからの前記依頼内容を受信する工程と、前記依頼内容に対する完了情報を依頼先側の前記情報端末が前記サーバに送信する工程と、を備え、前記依頼内容は、キャンセル又は訪問依頼を含むことを特徴とする依頼方法により、キャンセルが容易になり、高齢者等にとって簡単に商品等を依頼できるようにすることができる。
【実施例２】
【００３７】
実施例２は、顧客からの依頼内容が身の回り品の注文をするための訪問依頼である点で実施例１と異なっている。高齢者が一人住まいをしている場合や高齢者同士が同居している場合等は、身の回り品に不足があっても何が不足なのか具体的に特定できないことがある。例えば、部屋の中が暗いな、と思っても、照明器具の故障なのか何らかのスイッチの入れ忘れなのかわからないことがある。実施例２においては、そのような身の回り品の注文に関して、顧客が居住する地域において訪問が可能な依頼先との連携を図るものである。
【００３８】
実施例２におけるボタン１のスイッチ表面には、例えば、照明器具の写真が貼り付けられており、部屋の照明器具スイッチの近くに設置されている。高齢者等の顧客が、身の回り品の不足を感じたら、このボタン１を１回押す。実施例２においては、１回押すと身の回り品を扱う依頼先に対する訪問依頼が発信されるように、予め設定されている。
【００３９】
ボタン１が押されると、ＩoＴゲートウエイを経由してサーバ２に、商品等のＩＤ情報が送信され、サーバ２は受信したＩＤ情報に基づいて依頼内容を特定し、特定した依頼内容を顧客毎に記憶するとともに、最適な依頼先を選択し、特定した依頼内容を選択した依頼先に送信する。サーバ２から送信された依頼内容は、当該依頼先の情報端末３で受信される。当該依頼先では、受信した依頼内容に基づいて適切な措置をとる。実施例２においては、身の回り品注文のための訪問依頼であり、この場合は街の電器屋が依頼先として選択され、電器屋は一応照明器具や電池等の消耗品を携えて訪問依頼した顧客を訪問する。
【００４０】
身の回り品に不足を感じて依頼をした顧客も部屋が暗い原因が何なのか理解していない。電器屋が顧客を訪問して事情を聞いて、まず、部屋が暗い原因を調査する。そして、原因が照明器具の劣化であれば、照明器具を交換し、電池が減っているならば、電池を交換するという対応を行う。顧客はその場で代金を現金で決済する。ところが調査しても部屋の暗い原因が特定できない場合やあきらかに顧客がスイッチの入れ忘れ等の場合は、商品の販売は行わず、顧客によく説明することに止める。
【００４１】
当該依頼先である電器屋は、訪問の結果を完了情報として、情報端末３からサーバ２に送信する。サーバ２は受信した完了情報を顧客毎に記憶する。
【００４２】
実施例２においては、高齢者等の顧客が購入したい商品がはっきりしていない場合があって、その場合に電器屋等の依頼先は、顧客を訪問したにもかかわらず何の商品も販売できないことが起こり得る。そういう場合も想定して、親族等と契約して高齢者等の見守り費用をもらうことで、訪問に係る費用を捻出することができ継続的に見守りを実施でき、また依頼システムを継続的に運用することが可能になる。
【００４３】
なお、実施例２においては、訪問依頼する依頼先が街の電器屋であったが、これに限定されるものではなく、顧客の問題を解決できる最適な依頼先を選択することができる。例えば、病院、ナースステーション、シルバーセンター、又はスーパーマーケット等を選択することができる。例えば、ナースステーションに対して訪問依頼をする場合には、ボタン１のスイッチ表面に、看護士の写真が貼り付けられており、このスイッチを１回押すと、ＩｏＴゲートウエイ、サーバ２、情報端末３を介して病院に訪問依頼をすることができる。病院から訪問した看護士等は、顧客の健康状態を把握し、完了情報としてサーバ２に送信する。また、このボタン１を３回押すことによって、緊急通報である依頼内容がサーバ２に送信されるように構成してもよい。これによって緊急時に救急車を呼ぶようにすることができる。
【００４４】
また、実施例２においては、電器屋に対する訪問依頼だけを依頼内容としたが、必ずしもこれに限定されず、都合により適宜変更することができる。例えば、電器屋の訪問依頼に加えて、電気製品を注文するものであってもよい。
【００４５】
このように、実施例２においては、商品等の依頼を行う依頼システムであって、  顧客側にあって、商品等のＩＤ情報を送信可能なボタンと、前記ボタンからの前記ＩＤ情報を受信し、受信した前記ＩＤ情報に基づいて依頼内容を特定して顧客毎に記憶するとともに、依頼先を選択して前記依頼内容を送信するサーバと、前記依頼先側にあって、前記サーバからの前記依頼内容を受信するとともに、前記依頼内容に対する完了情報を前記サーバに送信する前記依頼先側の情報端末と、を備え、前記依頼内容は、キャンセル又は訪問依頼を含むことを特徴とする依頼システムにより、顧客が欲しい商品を特定しない状態で身の回り品を注文することができ、高齢者等にとって簡単に商品等を依頼できるようにすることができる。
【００４６】
また、商品等の依頼を行う依頼方法であって、顧客がボタンを操作して、商品等のＩＤ情報をサーバに送信する工程と、前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、依頼先側における情報端末が、前記サーバからの前記依頼内容を受信する工程と、前記依頼内容に対する完了情報を依頼先側の前記情報端末が前記サーバに送信する工程と、を備え、前記依頼内容は、キャンセル又は訪問依頼を含むことを特徴とする依頼方法により、顧客が欲しい商品を特定しない状態で身の回り品を注文することができ、高齢者等にとって簡単に商品等を依頼できるようにすることができる。
【実施例３】
【００４７】
実施例３は、顧客の親族等のもつ情報端末がシステムに加えられた点で実施例１、２と異なっている。実施例３について、図３を参照して説明する。図３は、本発明の実施例３における依頼システムの構成を説明する図である。
【００４８】
図３に示すように、顧客の親族等のもつスマホ等の情報端末４がインターネットに接続され、サーバ２からの情報を受信可能に構成されている。そして、前述の依頼内容又は完了情報を予め登録された顧客の親族等の情報端末４に送信される。すなわち、前述のように訪問依頼である依頼内容をサーバ２が特定するとこの依頼内容を親族等のもつ情報端末４に送信する。ここで、親族等とは、顧客の親族やその後見人を指す。
【００４９】
次に、依頼先の情報端末３が依頼内容を受信すると、顧客宅を訪問して身の回り品の配達を行い、完了情報をサーバ２に送信する。サーバ２は受信した完了情報を顧客毎に記憶する。このとき当該顧客の予め定められた親族等に完了情報を送信するようにしてもよい。つまり、依頼内容及び完了情報を親族等のもつ情報端末４に送信するようにしてもよい。また、完了情報のみを親族等の情報端末４に送信するようにしてもよい。
【００５０】
完了情報には、販売した商品、金額等に加えて、高齢者等の顧客の健康状態が含まれていてもよい。そうすることによって、親族等は情報端末４でこの完了情報を受信して、顧客の生活状況や健康状態を知ることができる。つまり配達する依頼先が高齢者等の顧客の見守り役となることができる。
【００５１】
また、前述した食事宅配のキャンセルに係るＩＤ情報がボタン１から送信され、サーバ２が受信した場合は、その依頼内容であるキャンセルを顧客毎に記憶するとともに、当該顧客の予め定められた親族等にこの依頼内容を送信する。また、キャンセルに係る完了情報を親族等の情報端末４に送信するようにしてもよい。親族等は情報端末４でこの依頼内容又は完了情報を受信して、顧客の生活状況を知ることができる。
【００５２】
前述のように、高齢者等の顧客が購入したい商品がはっきりしていない場合があって、その場合に電器屋等の依頼先は、顧客を訪問したにもかかわらず何の商品も販売できないことが起こり得る。そういう場合も想定して、実施例３においては、親族等と契約して高齢者等の見守り費用をもらうことで、訪問に係る費用を捻出することができ継続的に見守りを実施でき、また依頼システムを運用することが可能になる。
【００５３】
このように、実施例３においては、高齢者等の顧客に対する見守りをも依頼をすることができる。特に、都会で暮らす子供達の中に「お袋の電話連絡が増えてきたけど仕事で電話にでられない」、「毎日元気？って白々しくて電話できない。でも心配はある」、「だれか地元で見てもらえる人が欲しい」などといった考えをもつ人が増えている。実施例３は、こういう人たちが、特に、高齢者の見守りを依頼して安心感を得ることができる。
【産業上の利用可能性】
【００５４】
本発明における依頼システム及び依頼方法は、高齢者等が行う商品等の依頼の分野に広く用いることができる。
【符号の説明】
【００５５】
１： ボタン    ２：サーバ    ３：情報端末    ４：情報端末
【図１】
2018041236.tif 000003
【図２】
2018041236.tif 000004
【図３】
2018041236.tif 000005
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
商品等の依頼を行う依頼システムであって、
顧客側にあって、スイッチを押すことで商品等のＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記ボタンにより送信された前記ＩＤ情報に基づく前記依頼内容は、キャンセルを含むことを特徴とする依頼システム。
【請求項２】
前記サーバは、前記依頼内容又は前記完了情報を予め登録された前記顧客の親族等の情報端末に送信することを特徴とする請求項１に記載の依頼システム。
【請求項３】
商品等の依頼を行う依頼方法であって、
顧客がボタンに設けられたスイッチを押して商品等のＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記ボタンにより送信された前記ＩＤ情報に基づく前記依頼内容は、キャンセルを含むことを特徴とする依頼方法。
【請求項４】
前記サーバは、前記依頼内容又は前記完了情報を予め登録された前記顧客の親族等の前記情報端末に送信する工程を備えることを特徴とする請求項３に記載の依頼方法。
【手続補正２】
【補正対象書類名】明細書
【補正対象項目名】０００７
【補正方法】変更
【補正の内容】
【０００７】
上記課題を解決するために本発明は、商品等の依頼を行う依頼システムであって、
顧客側にあって、スイッチを押すことで商品等のＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記ボタンにより送信された前記ＩＤ情報に基づく前記依頼内容は、キャンセルを含むことを特徴とする依頼方法を提供するものである。
【手続補正３】
【補正対象書類名】明細書
【補正対象項目名】０００８
【補正方法】変更
【補正の内容】
【０００８】
この構成により、気軽にキャンセルができ、高齢者等にとって簡単に商品等を依頼できるようにすることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、上記課題を解決するために本発明は、商品等の依頼を行う依頼方法であって、
顧客がボタンに設けられたスイッチを押して商品等のＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記ボタンにより送信された前記ＩＤ情報に基づく前記依頼内容は、キャンセルを含むことを特徴とする依頼方法を提供するものである。
【手続補正７】
【補正対象書類名】明細書
【補正対象項目名】００１４
【補正方法】変更
【補正の内容】
【００１４】
この構成により、気軽にキャンセルができ、高齢者等にとって簡単に商品等を依頼できるようにすることができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
宅配される食事のキャンセル依頼を行う依頼システムであって、
高齢者である顧客側にあって、スイッチを押すことでどのボタンなのかがわかるＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記ボタンは、前記食事のキャンセル用のキャンセルボタンであり、
当該キャンセルボタンにより送信された前記ＩＤ情報に基づく前記依頼内容は、前記キャンセルボタンのスイッチが押された日に宅配される食事のキャンセルであり、
前記サーバは、前記依頼内容又は前記完了情報を予め登録された前記顧客の親族又はその後見人の情報端末に送信することを特徴とする依頼システム。
【請求項２】
宅配される食事のキャンセル依頼を行う依頼方法であって、
高齢者である顧客がボタンに設けられたスイッチを押してどのボタンなのかがわかるＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記ボタンは、前記食事のキャンセル用のキャンセルボタンであり、
当該キャンセルボタンにより送信された前記ＩＤ情報に基づく前記依頼内容は、前記キャンセルボタンのスイッチが押された日に宅配される食事のキャンセルであり、
前記サーバは、前記依頼内容又は前記完了情報を予め登録された前記顧客の親族又はその後見人の前記情報端末に送信する工程を備えることを特徴とする依頼方法。
【手続補正２】
【補正対象書類名】明細書
【補正対象項目名】０００７
【補正方法】変更
【補正の内容】
【０００７】
上記課題を解決するために本発明は、宅配される食事のキャンセル依頼を行う依頼システムであって、
高齢者である顧客側にあって、スイッチを押すことでどのボタンなのかがわかるＩＤ情報を送信可能なボタンと、
前記ボタンからの前記ＩＤ情報を受信し、受信した前記ＩＤ情報に基づいて依頼内容を特定して顧客毎に記憶するとともに、依頼先を選択して前記依頼内容を送信するサーバと、
前記依頼先側にあって、前記サーバからの前記依頼内容を受信するとともに、前記依頼内容に対する完了情報を前記サーバに送信する前記依頼先側の情報端末と、を備え、
前記ボタンは、前記食事のキャンセル用のキャンセルボタンであり、
当該キャンセルボタンにより送信された前記ＩＤ情報に基づく前記依頼内容は、前記キャンセルボタンのスイッチが押された日に宅配される食事のキャンセルであり、
前記サーバは、前記依頼内容又は前記完了情報を予め登録された前記顧客の親族又はその後見人の情報端末に送信することを特徴とする依頼システムを提供するものである。
【手続補正３】
【補正対象書類名】明細書
【補正対象項目名】０００８
【補正方法】変更
【補正の内容】
【０００８】
この構成により、気軽にキャンセルができ、高齢者にとって簡単に食事を依頼できるようにすることができるとともに、顧客の生活動向を親族又はその後見人に知らせることができ、高齢者の見守り効果が期待できる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
また、上記課題を解決するために本発明は、宅配される食事のキャンセル依頼を行う依頼方法であって、
高齢者である顧客がボタンに設けられたスイッチを押してどのボタンなのかがわかるＩＤ情報をサーバに送信する工程と、
前記サーバが、前記ボタンからの前記ＩＤ情報を受信し、受信した前記ＩＤ情報に基づいて依頼内容を特定して顧客毎に記憶するとともに、依頼先を選択して前記依頼内容を送信する工程と、
依頼先側における情報端末が、前記サーバからの前記依頼内容を受信する工程と、前記依頼内容に対する完了情報を依頼先側の前記情報端末が前記サーバに送信する工程と、を備え、
前記ボタンは、前記食事のキャンセル用のキャンセルボタンであり、
当該キャンセルボタンにより送信された前記ＩＤ情報に基づく前記依頼内容は、前記キャンセルボタンのスイッチが押された日に宅配される食事のキャンセルであり、
前記サーバは、前記依頼内容又は前記完了情報を予め登録された前記顧客の親族又はその後見人の前記情報端末に送信する工程を備えることを特徴とする依頼方法を提供するものである。
【手続補正７】
【補正対象書類名】明細書
【補正対象項目名】００１４
【補正方法】変更
【補正の内容】
【００１４】
この構成により、気軽にキャンセルができ、高齢者にとって簡単に食事を依頼できるようにすることができるとともに、顧客の生活動向を親族又はその後見人に知らせることができ、高齢者の見守り効果が期待できる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】